(57)【特許請求の範囲】
【請求項１】
燃料電池セルと該燃料電池セルからの排ガスと水とで熱交換するための熱交換器とを備える燃料電池装置と、
熱交換後の水を貯水するための貯湯タンクと、
前記熱交換器と前記貯湯タンクとの間で水を循環させるための循環配管と、
前記貯湯タンクの水を蓄水するための蓄水装置と、
前記貯湯タンクに貯水された水を外部または前記蓄水装置に排水するための排水装置と、前記貯湯タンクに貯水された水の温度を測定するための温度センサと、
前記温度センサにより測定される水の温度が所定時間継続して第１の所定温度以上で測定された場合に、前記貯湯タンクに貯水された水を前記蓄水装置に供給するように前記排水装置の動作を制御する制御装置と、
を備えることを特徴とする燃料電池コージェネレーションシステム。
【請求項２】
報知装置を備えてなり、前記制御装置は、前記温度センサにより測定される水の温度が所定時間継続して第１の所定温度以上で測定された場合に、前記報知装置を作動させるとともに、該報知装置を作動させてから所定時間経過後に、前記温度センサにより測定される水の温度が継続して第１の所定温度以上で測定された場合に、前記貯湯タンクに貯水された水を、前記蓄水装置に供給するように前記排水装置の動作を制御することを特徴とする請求項１に記載の燃料電池コージェネレーションシステム。
【請求項３】
前記制御装置は、前記貯湯タンクに貯水された水を前記蓄水装置に供給するように前記排水装置の動作を制御する際に、前記報知装置を作動させる制御を行なうことを特徴とする請求項２に記載の燃料電池コージェネレーションシステム。
【請求項４】
前記排水装置は、前記貯湯タンクの水を外部に排水するための弁を備える外部排水管と、前記貯湯タンクの水を前記蓄水装置に供給するための弁を備える蓄水装置供給管とを備えてなることを特徴とする請求項１乃至請求項３のうちいずれかに記載の燃料電池コージェネレーションシステム。
【請求項５】
前記排水装置は、前記貯湯タンクの水を排水するための弁を備える排水管と、前記貯湯タンクの水を外部に排水するための外部排水管と、前記貯湯タンクの水を前記蓄水装置に供給するための蓄水装置供給管とを備えてなるとともに、前記排水管と前記外部排水管と前記蓄水装置供給管とが三方弁により接続されていることを特徴とする請求項１乃至請求項３のうちいずれかに記載の燃料電池コージェネレーションシステム。
【請求項６】
前記蓄水装置の水位を測定するための蓄水装置水位センサを備えるとともに、前記制御装置は、前記蓄水装置水位センサからの情報に基づき、前記蓄水装置の水位が所定の水位以上となった場合に、前記貯湯タンクから前記蓄水装置への水の供給を停止するとともに、前記貯湯タンクに貯水された水を外部に排水するように前記排水装置の動作を制御することを特徴とする請求項４または請求項５に記載の燃料電池コージェネレーションシステム。
【請求項７】
前記蓄水装置に貯水された水の温度を測定するための蓄水装置温度センサを備えるとともに、前記制御装置は、前記蓄水装置温度センサにより測定される蓄水装置に貯水された水の温度が所定の温度以上となった場合に、前記貯湯タンクに貯水された水を外部に排水するように前記排水装置の動作を制御することを特徴とする請求項４または請求項５に記載の燃料電池コージェネレーションシステム。
【請求項８】
前記貯湯タンクに水を供給するための水供給装置と、前記貯湯タンクの水位を測定するための貯湯タンク水位センサとを備え、前記制御装置は、前記貯湯タンク水位センサにより測定される前記貯湯タンクの水位が所定の範囲内となるように、前記排水装置および前記水供給装置の動作を制御するとともに、前記温度センサにより測定される水の温度が、前記第１の所定温度よりも低く設定された第２の所定温度未満となった場合に、前記貯湯タンクからの水の排水を停止するように前記排水装置の動作を制御することを特徴とする請求項１乃至請求項７のうちいずれかに記載の燃料電池コージェネレーションシステム。
【発明の詳細な説明】
【技術分野】
【０００１】
本発明は、発電を行なう発電ユニットと、発電ユニットの運転により生じる排熱を利用して熱交換した水（お湯）を貯水する貯湯タンクを備える貯湯ユニットとを備える燃料電池コージェネレーションシステムに関する。
【背景技術】
【０００２】
近年、次世代エネルギーとして、水素含有ガス（燃料ガス）と空気（酸素含有ガス）とを用いて電力を得ることができる燃料電池セルや、運転に伴い生じる排ガスと水とで熱交換を行なうための熱交換器を備える発電ユニット（燃料電池装置）と、熱交換器に水を供給するとともに、熱交換器での熱交換により生成されたお湯を貯湯するための貯湯タンクを備える貯湯ユニットとを備える燃料電池コージェネレーションシステムが種々提案されている（例えば、特許文献１参照。）。
【０００３】
このような燃料電池コージェネレーションシステムにおいては、発電ユニットの発電により生じる電力を負荷に供給するとともに、発電ユニットの運転により生じる排熱を利用してお湯を生成することにより高い総合効率を得ることができる。
【０００４】
ところで、このような燃料電池コージェネレーションシステムにおいては、熱交換器において排ガスと水とでの熱交換を行なうことで生じる凝縮水を燃料電池セルに供給する燃料ガスを生成するための改質反応に用いることが知られている。ここで、熱交換器に供給される水（貯湯タンクに貯水されている水）の温度が上昇すると、凝縮水の生成量が低下して効率の良い運転を行なうことが困難となることから、貯湯タンクのお湯を排水することが知られている。そのため、貯湯タンクに貯水されたお湯を効率よく利用することが好ましい。
【０００５】
ここで、上記特許文献１においては、発電ユニットの運転により生じる排熱と水との熱交により生じたお湯を効率よく利用するにあたり、貯湯タンクから供給される温水の現在の給湯温度や、貯湯タンクが温水で満水状態か否かの情報を操作盤に表示して操作者に知らせるように構成する例が示されている。
【先行技術文献】
【特許文献】
【０００６】
【特許文献１】特開２００５−７８９７７号公報
【発明の概要】
【発明が解決しようとする課題】
【０００７】
ところで、このような燃料電池コージェネレーションシステムにおいては、使用者が電力やお湯を使用する負荷機器の運転開始の指示を行なってはじめて、お湯の使用が開始されることから、使用者が負荷機器の運転開始の指示を行なわなければ、貯湯タンクに貯水されたお湯が継続して排水されることとなり、燃料電池コージェネレーションシステムの運転効率が低下することとなる。
【０００８】
それゆえ、本発明は、貯湯タンクに貯水された水（お湯）の外部に排水される水の量を減らすことで、運転効率を向上した燃料電池コージェネレーションシステムを提供することを目的とする。
【課題を解決するための手段】
【０００９】
本発明の燃料電池コージェネレーションシステムは、燃料電池セルと該燃料電池セルからの排ガスと水とで熱交換するための熱交換器とを備える燃料電池装置と、熱交換後の水を貯水するための貯湯タンクと、前記熱交換器と前記貯湯タンクとの間で水を循環させるための循環配管と、前記貯湯タンクの水を蓄水するための蓄水装置と、前記貯湯タンクに貯水された水を外部または前記蓄水装置に排水するための排水装置と、前記貯湯タンクに貯水された水の温度を測定するための温度センサと、前記温度センサにより測定される水の温度が所定時間継続して第１の所定温度以上で測定された場合に、前記貯湯タンクに貯水された水を前記蓄水装置に供給するように前記排水装置の動作を制御する制御装置と、を備えることを特徴とする。
【００１０】
このような燃料電池コージェネレーションシステムにおいては、温度センサにより測定される水の温度が所定時間継続して第１の所定温度以上で測定された場合に、従来であればそのまま外部に排水されていた水（お湯）を、蓄水装置に自動的に供給するように排水装置の動作を制御することにより、熱交換により生成されたお湯を効率よく利用することができ、運転効率（総合効率）の向上した燃料電池コージェネレーションシステムとすることができる。
【００１１】
また、本発明の燃料電池コージェネレーションシステムは、報知装置を備えてなり、前記制御装置は、前記温度センサにより測定される水の温度が所定時間継続して第１の所定温度以上で測定された場合に、前記報知装置を作動させるとともに、該報知装置を作動させてから所定時間経過後に、前記温度センサにより測定される水の温度が継続して第１の所定温度以上で測定された場合に、前記貯湯タンクに貯水された水を、前記蓄水装置に供給するように前記排水装置の動作を制御することが好ましい。
【００１２】
このような燃料電池コージェネレーションシステムにおいては、貯湯タンクに貯水された水を蓄水装置に供給する前に、報知装置を作動させることにより、燃料電池コージェネレーションシステムの使用者に、貯湯タンクに貯水された水の使用を促すことができ、熱交換により生成されたお湯を効率よく使用することができる。
【００１３】
また、この場合において、報知装置を作動させてから所定時間経過後に、温度センサにより測定される水の温度が継続して第１の所定温度以上で測定された場合に、貯湯タンクに貯水された水を、蓄水装置に自動的に供給するように排水装置の動作を制御することにより、熱交換により生成されたお湯を効率よく利用することができ、運転効率（総合効率）の向上した燃料電池コージェネレーションシステムとすることができる。
【００１４】
また、本発明の燃料電池コージェネレーションシステムは、前記制御装置は、前記貯湯タンクに貯水された水を前記蓄水装置に供給するように前記排水装置の動作を制御する際に、前記報知装置を作動させる制御を行なうことが好ましい。
【００１５】
このような燃料電池コージェネレーションシステムにおいては、貯湯タンクに貯水された水を蓄水装置に供給するように排水装置の動作を制御する際に、報知装置を作動させることで、使用者が蓄水装置に貯湯タンクに貯水された水の供給が開始されたことを容易に認識することができる。
【００１６】
また、本発明の燃料電池コージェネレーションシステムは、前記排水装置は、前記貯湯タンクの水を外部に排水するための弁を備える外部排水管と、前記貯湯タンクの水を前記蓄水装置に供給するための弁を備える蓄水装置供給管とを備えてなることが好ましい。
【００１７】
このような燃料電池コージェネレーションシステムにおいては、貯湯タンクの水を外部に排水するための弁を備える外部排水管と、貯湯タンクの水を蓄水装置に供給するための弁を備える蓄水装置供給管とを備えることから、貯湯タンクの水を外部に排水するか、蓄水装置に供給するかを容易に制御することができる。
【００１８】
また、本発明の燃料電池コージェネレーションシステムは、前記排水装置は、前記貯湯タンクの水を排水するための弁を備える排水管と、前記貯湯タンクの水を外部に排水するための外部排水管と、前記貯湯タンクの水を前記蓄水装置に供給するための蓄水装置供給管とを備えてなるとともに、前記排水管と前記外部排水管と前記蓄水装置供給管とが三方弁により接続されていることが好ましい。
【００１９】
このような燃料電池コージェネレーションシステムにおいては、貯湯タンクの水を排水するための弁を備える排水管と、貯湯タンクの水を外部に排水するための外部排水管と、貯湯タンクの水を蓄水装置に供給するための蓄水装置供給管とが三方弁により接続されていることから、貯湯タンクの水を外部に排水するか、蓄水装置に供給するかを容易に制御することができる。
【００２０】
また、本発明の燃料電池コージェネレーションシステムは、前記蓄水装置の水位を測定するための蓄水装置水位センサを備えるとともに、前記制御装置は、前記蓄水装置水位センサからの情報に基づき、前記蓄水装置の水位が所定の水位以上となった場合に、前記貯湯タンクから前記蓄水装置への水の供給を停止するとともに、前記貯湯タンクに貯水された水を外部に排水するように前記排水装置の動作を制御することが好ましい。
【００２１】
このような燃料電池コージェネレーションシステムにおいては、蓄水装置の水位が所定の水位以上となった場合に、貯湯タンクに貯水された水の蓄水装置への供給を停止するとともに、外部に排水するように排水装置の動作を制御することで、蓄水装置より水があふれることを抑制できる。
【００２２】
また、本発明の燃料電池コージェネレーションシステムは、前記蓄水装置に貯水された水の温度を測定するための蓄水装置温度センサを備えるとともに、前記制御装置は、前記蓄水装置温度センサにより測定される蓄水装置に貯水された水の温度が所定の温度以上となった場合に、前記貯湯タンクに貯水された水を外部に排水するように前記排水装置の動作を制御することが好ましい。
【００２３】
このような燃料電池コージェネレーションシステムにおいては、蓄水装置に貯水された水の温度が所定の温度以上となった場合に、貯湯タンクに貯水された水を外部に排水するように排水装置の動作を制御することにより、蓄水装置に貯水される水の温度を所定の温度範囲内とすることができる。
【００２４】
また、本発明の燃料電池コージェネレーションシステムは、前記貯湯タンクに水を供給するための水供給装置と、前記貯湯タンクの水位を測定するための貯湯タンク水位センサとを備え、前記制御装置は、前記貯湯タンク水位センサにより測定される前記貯湯タンクの水位が所定の範囲内となるように、前記排水装置および前記水供給装置の動作を制御するとともに、前記温度センサにより測定される水の温度が、前記第１の所定温度よりも低く設定された第２の所定温度未満となった場合に、前記貯湯タンクからの水の排水を停止するように前記排水装置の動作を制御することが好ましい。
【００２５】
このような燃料電池コージェネレーションシステムにおいては、貯湯タンクの水位が所定の範囲内となるように、排水装置および貯湯タンクに水を供給するための水供給装置の動作を制御するとともに、温度センサにより測定される水の温度が、第１の所定温度よりも低く設定された第２の所定温度未満となった場合に、貯湯タンクからの水の排水を停止するように排水装置の動作を制御することにより、貯湯タンクに貯水された水の温度が低下しすぎることを抑制でき、燃料電池コージェネレーションシステムの使用者が使用するお湯を効率よく生成することができる。
【発明の効果】
【００２６】
本発明の燃料電池コージェネレーションシステムは、貯湯タンクに貯水された水（お湯）を蓄水装置に自動的に供給することにより、外部に排水される水の量を減らすことができ、運転効率（総合効率）を向上することができる。
【図面の簡単な説明】
【００２７】
【図１】本発明の燃料電池コージェネレーションシステムの構成の一例を示す構成図である。
【図２】本発明の燃料電池コージェネレーションシステムの制御の流れの一例を示すフローチャートである。
【図３】図２に示すフローチャートの続きを示す、本発明の燃料電池コージェネレーションシステムの制御の流れの一例を示すフローチャートである。
【図４】本発明の燃料電池コージェネレーションシステムの構成の他の一例を示す構成図である。
【図５】本発明の燃料電池コージェネレーションシステムの構成のさらに他の一例を示す構成図である。
【発明を実施するための形態】
【００２８】
図１は、本発明の燃料電池コージェネレーションシステム（以下、コージェネシステムと略す場合がある。）の一例を示した構成図である。なお、以降の図において同一の部材については同一の番号を付するものとする。
【００２９】
図１に示すコージェネシステムは、発電を行なう発電ユニット（燃料電池装置）と、熱交換後の湯水を貯湯する貯湯ユニットと、これらのユニット間に水を循環させるための循環配管とを具備して構成されている。
【００３０】
図１に示す発電ユニット（燃料電池装置）は、複数個の燃料電池セル（図示せず）を組み合わせてなる燃料電池セルスタック１（以下、セルスタックと略す場合がある。）、セルスタック１からの排ガスと水とで熱交換するための熱交換器５とを備えている。まず、以下に、発電ユニット（燃料電池装置）を構成する各部材について説明する。
【００３１】
発電ユニット（燃料電池装置）は、天然ガス等の原燃料を供給する原燃料供給装置２、セルスタック１を構成する燃料電池セルに酸素含有ガスを供給するための酸素含有ガス供給装置３、原燃料と水蒸気により水蒸気改質する改質器４を具備している。なお、改質器４は、後述する水ポンプ１１により供給される水（純水、以下適宜水と略す場合がある）を気化し、原燃料供給装置２から供給された原燃料と水蒸気とを混合するための気化部と、内部に改質触媒を備え、混合された原燃料と水蒸気とを反応させて燃料ガス（水素含有ガス）を生成するための改質部とを備えている。
【００３２】
なお、セルスタック１や改質器４を収納容器内に収納することで、発電ユニットを構成する燃料電池モジュールが構成される。なお図１においては、燃料電池モジュールを構成する各装置類を二点鎖線により囲って示している（図１においてＭで示している）。
【００３３】
また、熱交換器５でのセルスタック１からの排ガスとで熱交換するための水を循環するための循環配管１６の一部、熱交換器５で生成された凝縮水を改質器４に向けて供給するための凝縮水供給管６が設けられており、熱交換器５で生成された凝縮水は、凝縮水処理装置７にて純水に処理された後、水タンク８に貯水されて、水ポンプ１１により改質器４（気化部、図示せず）に供給される。なお、凝縮水処理装置７と水タンク８とがタンク連結管９により接続され、水タンク８と改質器４とが改質水供給管１０により接続されている。
【００３４】
さらに図１に示す発電ユニット（燃料電池装置）は、燃料電池セルにて発電された直流電力を交流電力に変換し、変換された電流の外部負荷への供給量を調整するための供給電力調整部（パワーコンディショナ）１２、熱交換器５の出口に設けられ熱交換器５の出口を流れる水（循環水流）の水温を測定するための出口水温センサ１４のほか、制御装置１３が設けられており、循環配管１６内で水を循環させる循環ポンプ１５とあわせて発電ユニットが構成されている。なお、循環ポンプ１５は貯湯ユニット側に配置することも可能である。そして、これら発電ユニットを構成する各装置を、外装ケース内に収納することで、設置や持ち運び等が容易な発電ユニット（燃料電池装置）とすることができる（図示せず）。
【００３５】
なお、セルスタック１と熱交換器６との間には、燃料電池セル（セルスタック１）の運転に伴い生じる排ガスを処理するための排ガス処理装置が設けられている（図示せず）。なお、排ガス処理装置は、収納容器内に排ガス処理部材を収納してなり、排ガス処理部材としては、一般的に公知の燃焼触媒を用いることができる。
【００３６】
貯湯ユニットは、熱交換後の湯水を貯水するための貯湯タンク１７を備えている。なお、図１に示す貯湯タンク１７は、貯湯タンク１７と熱交換器５との間で循環される水である貯湯タンク１７に貯水された水の温度を測定する貯湯タンク温度センサ１９、貯湯タンク１７に貯水された水の水位を測定するための貯湯タンク水位センサ３０を備えているとともに、貯湯タンク温度センサ１９の測定する温度（水温）に基づいて、貯湯タンク１７内の水（お湯）を外部に排水するための弁２２を備える外部排水管２１と、貯湯タンク１７の水（お湯）を後述する蓄水装置２５に供給するための弁２４を備える蓄水装置供給管２３と、貯湯タンク１７内に外部からの水（例えば、水道水等）を供給するための水供給装置２８と、が接続されている。なお、貯湯タンク温度センサ１９は、貯湯タンク１９における温度の低い部位を測定するように配置することが好ましく、図１に示す貯湯タンク１９においては、水供給装置２８が接続された部位の近傍に配置している。なお、図１に示すコージェネシステムにおいては、弁２２を備える外部排水管２１と弁２４を備える蓄水装置供給管２３とが排水装置に該当する。
【００３７】
さらに、図１に示す貯湯タンク１７は、報知装置２０、これら各装置や各弁の動作を制御するための制御装置１８を備えている。なお、制御装置１８は発電ユニットに設けられた制御装置１３と共用することも可能であるが、コージェネシステムの組立を考慮して、それぞれ別に設けることが好ましい。
【００３８】
なお、貯湯タンク１７と熱交換器５との間で循環される水の温度を測定するための温度センサとして、循環配管１６を流れる水の温度を測定するための循環配管温度センサを用いることも可能である。この場合、循環配管温度センサは、循環ポンプ１５の上流側や、貯湯タンク１７に供給される水の温度を低減するためのラジエーターを備える場合には、ラジエーターの下流側等に配置することができる。さらに出口水温センサ１４を共用することも可能である。以下の説明においては、貯湯タンク１７と熱交換器５との間で循環される水の温度を測定する温度センサとして、貯湯タンク１７内に貯水された水の温度を測定する貯湯タンク温度センサ１９を用いて説明する。
【００３９】
図中の矢印は、原燃料、酸素含有ガス、水の流れ方向を示したものであり、また破線は制御装置１８に伝送される主な信号経路、または制御装置１８より伝送（発信）される主な信号経路を示している。
【００４０】
以下に、図１に示したコージェネシステムの運転方法について説明する。
【００４１】
燃料電池セルの発電に用いられる燃料ガスを生成するために水蒸気改質を行なうにあたり、改質器４で使用される水は、熱交換器５において燃料電池セル（セルスタック１）の運転に伴って生じた排ガスと循環配管１６を流れる水との熱交換により生成される凝縮水が用いられる。熱交換器５にて生成された凝縮水は、凝縮水供給管６を流れて凝縮水処理装置７に供給される。凝縮水処理装置７にて凝縮水を処理して純水が生成され、生成された純水は水タンク８に供給される。水タンク８に貯水された水は、水ポンプ１１により改質器４に供給され、原燃料供給装置２より供給される原燃料とで水蒸気改質が行われ、生成された燃料ガスが燃料電池セルに供給される。燃料電池セルにおいては、燃料ガスと酸素含有ガス供給装置３より供給される酸素含有ガスとを用いて発電が行われる。このように凝縮水を有効に利用することにより、水自立運転を行なうことができる。
【００４２】
貯湯タンク１７においては、貯湯タンク水温センサ１９により貯湯タンク１７に貯水された水の温度を測定する。ここで、貯湯タンク１７に貯水された水の温度が所定の温度以上となると、熱交換器５での凝縮水の生成量が低減し、改質器４に十分な水（純水）を供給することが困難となり、発電ユニットを効率よく運転することが困難となる。
【００４３】
それゆえ、貯湯タンク１７に貯水された水の温度が所定の温度以上となった場合には、貯湯タンク１７に貯水された水を排水するとともに、貯湯タンク１７に貯水された水の水位を測定する貯湯タンク水位センサ３０が測定する水位が所定の範囲内となるように、水供給装置２８が外部からの水（例えば、水道水等）を供給することにより、貯湯タンク１７に貯水された水の温度を低減する。それにより、熱交換器５で生成される凝縮水の量が低減することを抑制し、発電ユニットの運転を効率よく行なうことができる。
【００４４】
しかしながら、この場合において、熱交換器５において生成されたお湯を無駄に排水することとなり、コージェネシステムとしての運転効率（総合効率）が低下することとなる。
【００４５】
そこで、本発明のコージェネシステムにおいては、貯湯タンク１７より排水される水（お湯）を、蓄水装置２５に自動的に供給することにより、運転効率（総合効率）が向上したコージェネシステムとすることができる。
【００４６】
なお、蓄水装置２５としては、例えばコージェネシステムが戸建住宅に設置される場合には、風呂等とすることができ、コージェネシステムが集合住宅に設置される場合には、各部屋における風呂等のほか、各部屋にお湯を供給するための集合貯湯槽とすることができる。なお、蓄水装置２５を風呂とする場合には、貯湯タンク１７と蓄水装置２５との間で水を循環させるための循環配管を設けることが好ましく、図１に示すコージェネシステムにおいては、貯湯タンク１７と蓄水装置２５とで水を循環させるための循環配管２９が設けられている。なお、貯湯タンク１７と蓄水装置２５との間に、湯沸かし器や給湯器を設けることもでき、この場合はそれぞれの装置が循環配管２９により接続される。
【００４７】
なお、蓄水装置２５においては、蓄水装置２５に貯水される水の水位を測定するための蓄水装置水位センサ２６や、蓄水装置２５に貯水される水の温度を測定するための蓄水装置温度センサ２７を備えることが好ましい。これらのセンサに基づく制御については後述する。
【００４８】
図２および図３は、図１に示すコージェネシステムにおける制御の流れの一例を示すフローチャートである。なお、図２および図３に示すフローチャートは本発明における一連の制御のみを示している。
【００４９】
コージェネシステムの運転時において、貯湯タンク温度センサ１９により測定された貯湯タンク１７に貯水された水の温度情報が制御装置１８に伝送される。ここで、制御装置１８は、貯湯タンク１７の水温が第１の所定温度以上を所定時間以上継続する場合には、貯湯タンク１７の水を蓄水装置２５に供給するように、排水装置の動作を制御する（ステップＳ１）。具体的には、図１に示すコージェネシステムにおいては、外部排水管２１に備える弁２２を閉じる制御を行なうとともに、蓄水装置供給管２３に備える弁２４を開く制御を行なう。なお、弁２２および弁２４としては、一般的に使用される電磁弁を用いることができる。
【００５０】
一方、貯湯タンク１７に貯水された水の温度（以下、貯湯タンク１７の水温という場合がある。）が第１の所定温度以上を所定時間以上継続していない場合には、貯湯タンク１７に貯水された水を排水する必要がないと判断し、貯湯タンク１７の水が排水されないように排水装置を制御する（ステップＳ２）。具体的には、具体的には、図１に示すコージェネシステムにおいては、外部排水管２１に備える弁２２を閉じる制御を行なうとともに、蓄水装置供給管２３に備える弁２４を閉じる制御を行なう。
【００５１】
ここで、貯湯タンク１７の水温が第１の所定温度以上を所定時間以上継続するとは、コージェネシステム全体の定格規模等に基づいて適宜設定することができ、例えば発電ユニットの定格出力が７００ｗの場合においては、第１の所定温度を４０〜８５℃の範囲で適宜設定することができ、所定時間は１〜６０分の間で適宜設定することができる。
【００５２】
ここで、貯湯タンクの水温が第１の所定温度以上を所定時間以上継続する場合に、制御装置１８は貯湯タンク１７の水を蓄水装置２５に供給するように、排水装置の動作を制御するが、蓄水装置２５に水を供給する前に、コージェネシステムの使用者に、所定時間経過後に貯湯タンク１７の水の蓄水装置２５への供給を開始することを知らせることが好ましい。それにより、コージェネシステムの使用者が、貯湯タンク１７中のお湯を効率よく使用することができる。
【００５３】
それゆえ、制御装置１８は、貯湯タンク１７の水を蓄水装置２５に供給するように排水装置の動作を制御する前に、報知装置２０の動作を制御する（ステップＳ３）。なお、報知装置２０としては、例えばコージェネシステムの操作パネルに使用を促す表示をする他、アラーム音を発信する、使用者が登録したメールアドレスに使用を促すメールを送信する等、コージェネシステムの構成にあわせて適宜設定することができる。
【００５４】
ただし、報知装置２０を作動させて所定時間が経過した場合に、使用者が貯湯タンク１７に貯水された水を使用しない場合には、熱交換器５と循環配管１６を流れる水とでの熱交換が低減し、凝縮水の生成量が低減して、発電ユニット（燃料電池装置）の発電効率が低下するおそれがある。それゆえ、制御装置１８は、続いて報知装置２０を作動させてから所定時間が経過したかどうかを判断する（ステップＳ４）。
【００５５】
報知装置２０を作動させてから所定時間が経過していないと判断される場合には、継続して報知装置２０を作動させる。一方で、報知装置２０を作動させてから所定時間が経過したと判断される場合には、続いて貯湯タンク１７に貯水された水の温度を、貯湯タンク水温センサ１９により測定する（ステップＳ５）。
【００５６】
ここで、貯湯タンク１７に貯水された水の温度が、第１の所定温度を下回った場合には（すなわち、コージェネシステムの使用者がお湯を使用した場合）、貯湯タンク１７中の水を排水する必要がないと判断し、制御装置１８は、貯湯タンク１７の水が排水されないように排水装置を制御する（ステップＳ２）。
【００５７】
一方、報知装置２０を作動させてから所定時間が経過した後、貯湯タンク１７に貯水された水の温度が継続して第１の所定温度を超える場合には（すなわち、コージェネシステムの使用者がお湯を使用していない場合）、貯湯タンク１７中の水を排水する必要があると判断し、制御装置１８は貯湯タンク１７中の水を蓄水装置２５に供給するように、排水装置を作動させる（ステップＳ６）。具体的には、図１に示すコージェネシステムにおいては、外部排水管２１に備える弁２２を閉じる制御を行なうとともに、蓄水装置供給管２３に備える弁２４を開く制御を行なう。
【００５８】
それにより、貯湯タンク１７に貯水された水を排水するにあたり、貯湯タンク１７中の水を、蓄水装置２５に自動的に供給することから、熱交換により生成されたお湯を効率よく利用することができ、運転効率（総合効率）の向上した燃料電池コージェネレーションシステムとすることができる。
【００５９】
この場合に、制御装置１８は、貯湯タンク１７に貯水された水の蓄水装置２５への供給を知らせるように報知装置２０を作動させる制御を行なう（ステップＳ７）。それにより、コージェネシステムの使用者が、蓄水装置２５に貯湯タンク１７に貯水された水の供給が開始されたことを容易に認識することができる。
【００６０】
ここで、貯湯タンク１７においては、コージェネシステムの使用者が使用する水の量が不足することを避けるべく、貯湯タンク１７に貯湯タンク水位センサ３０が設けられており、貯湯タンク水位センサ３０により測定される貯湯タンク１７の水位が所定の範囲内となるように制御される。
【００６１】
すなわち、制御装置１８は、排水装置２１の動作を制御して貯湯タンク１７より排出された水と同量の水が、貯湯タンク１７に外部より供給されるように水供給装置２８の動作を制御する。そのため、貯湯タンク１７に貯水された水を排出することに伴って、温度の低い水が貯湯タンク１７に供給されることから、貯湯タンク１７の水の温度が低下する。
【００６２】
それゆえ、制御装置１８は、貯湯タンク温度センサ１９により測定される貯湯タンク１７に貯水された水の温度が、第１の所定温度よりも低く設定された第２の所定温度未満となっているか否かを判定する（ステップＳ８）。
【００６３】
ここで、貯湯タンク１７に貯水された水の温度が、第２の所定温度未満である場合には、貯湯タンク１７からの水の排水を停止するように排水装置動作を制御する（ステップＳ９）。具体的には、図１に示すコージェネシステムにおいては、外部排水管２１に備える弁２２を閉じる制御を行なうとともに、蓄水装置供給管２３に備える弁２４を閉じる制御を行なう。それにより、コージェネシステムの使用者が使用するお湯を効率よく生成することができ、所定の温度範囲の水（お湯）をコージェネシステムの使用者に供給できる。
【００６４】
一方、貯湯タンク１７に貯水された水の温度が、第２の所定温度未満である場合には、貯湯タンク１７に貯水された水を蓄水装置２５に継続して供給する。
【００６５】
ここで、第２の所定温度とは、コージェネシステム全体の定格規模等に基づいて適宜設定することができ、例えば発電ユニットの定格出力が７００ｗの場合においては、第２の所定温度を３５〜４５℃の範囲で適宜設定することができる。
【００６６】
上述のような制御により、貯湯タンク１７に貯水された水を蓄水装置２５に供給することにより、コージェネシステムの運転効率（総合効率）を向上することができるが、蓄水装置２５に貯水された水の水位が所定の水位以上となった場合には、蓄水装置２５より水があふれるおそれがある。また、貯湯タンク１７と蓄水装置２５との間で循環配管２９を介して水を循環させることにより、貯湯タンクへ１７の外部からの水の供給を行うことなく、貯湯タンク１７に貯水された水の温度を低下させることができる。しかしながら、蓄水装置２５に貯水された水の温度が所定の温度以上となった場合には、安全性の点で問題が生じるおそれがある。
【００６７】
ここで図１に示すコージェネシステムにおいては、蓄水装置２５に、蓄水装置２５に貯水される水の水位を測定するための蓄水装置水位センサ２６と、蓄水装置２５に貯水される水の温度を測定するための蓄水装置温度センサ２７とを備えている。
【００６８】
制御装置１８は、蓄水装置水位センサ２６により測定される貯湯タンク１７に貯水された水の水位が所定の水位以上となっているか、もしくは蓄水装置温度センサ２７により測定される蓄水装置２５に貯水される水の温度が所定の温度以上となっているかを判断する（ステップＳ１０）。
【００６９】
ここで、蓄水装置水位センサ２６により測定される蓄水装置２５に貯水される水の水位が所定の水位未満の場合や、蓄水装置温度センサ２７により測定される蓄水装置２５に貯水される水の温度が所定の温度未満の場合には、制御装置１８は、蓄水装置２５に供給される水を停止する必要がないと判断し、継続して蓄水装置２５に水が供給されるように排水装置の動作を制御する。
【００７０】
一方、蓄水装置水位センサ２６により測定される蓄水装置２５に貯水される水の水位が所定の水位以上の場合や、蓄水装置温度センサ２７により測定される蓄水装置２５に貯水される水の温度が所定の温度以上の場合には、制御装置１８は、蓄水装置２５に供給される水を停止する必要があると判断し、貯湯タンク１７より排水される水を外部に排水するように排水装置の動作を制御する（ステップＳ１１）。具体的には、図１に示すコージェネシステムにおいては、外部排水管２１に備える弁２２を開く制御を行なうとともに、蓄水装置供給管２３に備える弁２４を閉じる制御を行なう。
【００７１】
それにより、運転効率（総合効率）を向上するとともに、蓄水装置２５より水があふれることを抑制できるほか、蓄水装置２５に貯水される水の温度を所定の温度範囲内とすることができ、安全性を向上することができる。
【００７２】
なお、蓄水装置２５における所定の水位とは、蓄水装置２５より水があふれることがない水位とすることができ、蓄水装置２５における所定の温度とは、蓄水装置２５における安全性を考慮して、例えば３５℃〜４５℃の範囲で適宜設定することができる。
【００７３】
ここで、制御装置１８は、貯湯タンク１７に貯水された水を外部に排水するように排水装置を制御する場合にも、貯湯タンク温度センサ１９により測定される貯湯タンク１７に貯水された水の温度が、第２の所定温度未満となっているか否かを判定する（ステップＳ１２）。
【００７４】
ここで、貯湯タンク１７に貯水された水の温度が、第２の所定温度未満である場合には、貯湯タンク１７からの水の排水を停止するように排水装置の動作を制御する（ステップＳ９）。それにより、コージェネシステムの使用者が使用するお湯を効率よく生成することができ、所定の温度範囲の水（お湯）をコージェネシステムの使用者に供給できる。
【００７５】
一方、貯湯タンク１７に貯水された水の温度が、第２の所定温度未満である場合には、貯湯タンク１７に貯水された水を外部に継続して排水する。
【００７６】
図４は、本発明の燃料電池コージェネレーションシステムの構成の他の一例を示す構成図である。
【００７７】
図４に示すコージェネシステムにおいては、貯湯タンク１７の水を外部に排水するための弁２２を備える外部排水管２１と、貯湯タンク１７の水を蓄水装置２５に供給するための弁２４を備える蓄水装置供給管２３との一部が共用されている以外は、図１に示す燃料電池コージェネレーションシステムと同じである。図４に示す燃料電池コージェネレーションシステムにおいては、配管の一部を削減することができ、設置工事や設置コストの低減を図ることができる。
【００７８】
図５は、本発明の燃料電池コージェネレーションシステムの構成のさらに他の一例を示す構成図である。
【００７９】
図５に示すコージェネシステムにおいては、図１および図４で示した、貯湯タンク１７の水を外部に排水するための弁２２を備える外部排水管２１と、貯湯タンク１７の水を蓄水装置２５に供給するための弁２４を備える蓄水装置供給管２３とに変わって、貯湯タンク１７の水を排水するための弁３２を備える排水管３１と、貯湯タンク１７の水を外部に排水するための外部排水管３４と、貯湯タンク１７の水を蓄水装置２５に供給するための蓄水装置供給管３３とが、三方弁３５により接続されている。なお、図５に示すコージェネシステムにおいては、弁３２を備える排水管３１と、外部排水管３４と、蓄水装置供給管３３と、三方弁３５とが排水装置に該当する。
【００８０】
このような構成のコージェネシステムにおいても、貯湯タンク１７の水を外部に排水するか、蓄水装置２５に供給するか、貯湯タンク１７からの排水を停止するかを容易に制御することができる。
【００８１】
具体的には、例えば貯湯タンク１７に貯水された水を外部に排水する場合には、制御装置１８は、弁３２を開く制御を行なうとともに、排水管３１を流れる水が外部排水管３４に流れるように三方弁３５を制御する。また、貯湯タンク１７に貯水された水を蓄水装置２５に供給する場合には、弁３２を開く制御を行なうとともに、排水管３１を流れる水が蓄水装置供給管３３に流れるように三方弁３５を制御する。また、貯湯タンク１７からの排水を停止する場合には、弁３２を閉じる制御を行なう。
【００８２】
以上のような構成により、運転効率（総合効率）を向上した燃料電池コージェネレーションシステムとすることができる。
【００８３】
以上、本発明について詳細に説明したが、本発明は上述の実施の形態の例に限定されるものではなく、本発明の要旨を逸脱しない範囲内において、種々の変更、改良等が可能である。
【００８４】
上述の説明においては、１つの蓄水装置２５に水を供給する場合を例示して説明したが、貯湯タンク１７の水を排水するにあたり複数の蓄水装置２５に水を供給するように構成することもできる。この場合は、適宜各種センサを配置し、それらの各種センサが測定する値に基づいて排水装置を制御することができる。
【００８５】
また、貯湯タンク１７と熱交換器５との間で循環される水の温度を測定するための温度センサとして、循環配管１６を流れる水の温度を測定するための循環配管温度センサを用いる場合には、図２および図３に示すフローチャートのうち、「貯湯タンク１７の水温が」を「循環配管温度センサにより測定される水温が」に変更することがよい。
【符号の説明】
【００８６】
１：燃料電池セルスタック
５：熱交換器
１６、２９：循環配管
１７：貯湯タンク
１８：制御装置
１９：貯湯タンク水温センサ
２０：報知装置
２５：蓄水装置
２６：蓄水装置水位センサ
２７：蓄水装置水温センサ
【図１】
0005388758.tif 000002
【図２】
0005388758.tif 000003
【図３】
0005388758.tif 000004
【図４】
0005388758.tif 000005
【図５】
0005388758.tif 000006